(57)【要約】      （修正有）【課題】自己消毒機能を有する食器を提供する。【解決手段】自己消毒機能を有する食器は、食器本体１を含む。艶出し粉層２が、食器本体１の表面に形成されており、艶出し粉層２が、抗菌物質を含有している。抗菌物質を含有している艶出し粉層２が、食器本体１の内表面及び外表面に形成されている。【選択図】図１
0003180548.tif 000002
【実用新案登録請求の範囲】
【請求項１】
食器本体（１）を有する自己消毒機能を有する食器において、
艶出し粉層（２、３）が、前記食器本体（１）の表面に形成されており、
前記艶出し粉層（２、３）が、抗菌物質を含有している
ことを特徴とする自己消毒機能を有する食器。
【請求項２】
艶出し粉層（２）が、前記食器本体（１）の内表面に形成されており、
前記艶出し粉層が、抗菌物質を含有している
ことを特徴とする請求項1に記載の自己消毒機能を有する食器。
【請求項３】
艶出し粉層（３）が、前記食器本体（１）の外表面に形成されており、
前記艶出し粉層が、抗菌物質を含有している
ことを特徴とする請求項1に記載の自己消毒機能を有する食器。
【請求項４】
前記抗菌物質が、抗菌剤である
ことを特徴とする請求項1または2に記載の自己消毒機能を有する食器。
【請求項５】
前記抗菌剤が、無機抗菌剤又は有機抗菌剤である
ことを特徴とする請求項3に記載の自己消毒機能を有する食器。
【請求項６】
前記抗菌物質を含有する前記艶出し粉層と前記抗菌物質質量比は、前記抗菌剤が0.1%&#8212;10%、艶出し粉が90%&#8212;99.9%である
ことを特徴とする請求項1に記載の自己消毒機能を有する食器。
【請求項７】
前記抗菌物質は、シリカゲル・ナノシルバー、燐酸塩抗菌剤、モンモリロナイト抗菌剤、沸石抗菌剤からなるグループから選択される
ことを特徴とする請求項1に記載の自己消毒機能を有する食器。
【請求項８】
前記抗菌物質が、シルバーイオンを含有する無機珪素酸塩抗菌剤である
ことを特徴とする請求項1に記載の自己消毒機能を有する食器。
【考案の詳細な説明】
【技術分野】
【０００１】
本考案は、食器に関し、特に自己消毒機能を有する食器に関する。
【背景技術】
【０００２】
従来の技術では、食事の衛生を保証するために、食器を消毒しているが、このような消毒方式は受動的であり、消毒ツールや消毒剤の助けを借り行われている。
【０００３】
使用された消毒剤が環境に汚染を引き起こし、消毒条件が良くないか或は操作者が無責任の場合には、食器の消毒が所定の食器衛生条件に達せず、このような食器を使用する時、疾病に感染する危険をもたらす。
【０００４】
【特許文献１】中国特許CN201767612U号明細書
【特許文献２】中国特許CN201691549U号明細書
【０００５】
特許文献１は、メラミン食器を開示しており、食器本体は所定の形状に射出成型される。この食器本体は、メラミン基材からなる基材部と、均一に該基材部内に溶けこんでいるナノメータ級の抗菌粉末とを有する。メラミン基材と微細抗菌粉末が適当な比率で混合され、食器本体の使用時に微細粉末の抗菌作用により抗菌効果を達成できる。
【０００６】
特許文献２は、本体とこの本体内に均一に溶け込む効用層とを有する。該効用層が抗菌剤により構成される抗菌効果のあるメラミンを形成する。該本体は、所定の形状に射出成型される。メラミン基材からなる基材部及び該基材部内に溶け込んだ抗菌剤を含有している。該抗菌剤は、無機抗菌剤、有機抗菌剤或は金属酸化物抗菌剤のいずれかである。メラミン基材が前記抗菌剤の何れか一方と混合し、複数の抗菌剤の異なる抗菌作用により異なる抗菌効果を奏することができる。
【０００７】
これらの製品は、基材部（本体）内に均一に抗菌物質を添加し、製品が安定的な抗菌効果を達成するために、抗菌物質が均一に分散し、且つ一定の量を含有しなければならない。即ち、基材部（本体）内の抗菌物質が、一定量含まれなければならない。基材部（本体）が重くなるほど、その内に含有される抗菌物質が必然的に多くなる。基材部（本体）は、その質量が比較的大きいため、添加すべき抗菌物質が増え、これによりコストが上がる。
【考案の概要】
【考案が解決しようとする課題】
【０００８】
添加すべき抗菌物質を減らすことのでき、環境の保護に役立つ自己消毒機能を有する食器を提供することである。
【課題を解決するための手段】
【０００９】
本考案の一実施例によれば、食器本体（１）を有する自己消毒機能を有する食器において、艶出し粉層（２、３）が、前記食器本体（１）の表面に形成されており、
前記艶出し粉層（２、３）が、抗菌物質を含有している。
本考案の一実施例によれば、艶出し粉層（２）が、前記食器本体（１）の内表面に形成されており、前記艶出し粉層が、抗菌物質を含有している。
本考案の一実施例によれば、艶出し粉層（３）が、前記食器本体（１）の外表面に形成されており、前記艶出し粉層が、抗菌物質を含有している。
本考案の一実施例によれば、前記抗菌物質が、抗菌剤である。
本考案の一実施例によれば、前記抗菌剤が、無機抗菌剤又は有機抗菌剤である。
本考案の一実施例によれば、前記抗菌物質を含有する前記艶出し粉層と前記抗菌物質質量比は、前記抗菌剤が0.1%&#8212;10%、前記艶出し粉が90%&#8212;99.9%である。
本考案の一実施例によれば、前記抗菌物質は、シリカゲル・ナノシルバー、燐酸塩抗菌剤、モンモリロナイト抗菌剤、沸石抗菌剤からなるグループから選択される。
本考案の一実施例によれば、前記抗菌物質が、シルバーイオンを含有する無機珪素酸塩抗菌剤である。
【００１０】
艶出し粉（GLAZING  POWDER，）とは、メラミン樹脂成型粉（OVERLAY  RESIN：オーバーレイ樹脂）とも称する。その分子構造がメラミン-ホルムアルデヒド樹脂粉とほぼ同じで，高分子類化合物に属し，フォルムアルデヒドとシアヌル酸トリアミドで反応生成された&#26641;脂である。  火干しでボールミルで製造された粉末であり，「精製粉」と俗称される。食器をプレスで製造する時に表面に艶出し粉を少し散らすことで，表面の清潔度が増加し，食器を綺麗にするとともに，食器の表面硬度を上げ，寿命を伸ばすことができる。
【００１１】
本考案の一実施例による自己消毒機能を有する食器の製造方法は、以下のステップを有する。
1）基材を用意するステップ。
2）メラミン粉末材料を油圧成型機の鋳型に入れるステップ。
3）油圧成型機によりメラミン粉末をホットプレスして食器本体として成型するステップ。
4）プレスで製造された食器本体の内表面に艶出し粉層の基材を加え、油圧成型機機により艶出し粉をホットプレス成型して、食器本体内表面に艶出し粉層を形成するステップ。
【００１２】
本考案の他の実施例による自己消毒機能を有する食器の製造方法は、以下のステップを有する。
1）基材を用意するステップ。
2）メラミン粉末材料を油圧成型機の鋳型にいれるステップ。
3）油圧成型機によりメラミン粉末をホットプレスして食器本体として成型するステップ。
4）加圧された食器本体の内表面に艶出し粉層の基材を加え、油圧力機により艶出し粉をホットプレス成型して、食器本体内表面及び外表面に艶出し粉層を形成するステップ。
【００１３】
本考案は、以下の技術的効果がある：
1、本考案による自己消毒機能を有する食器は、食器本体の表面上に艶出し粉及び抗菌剤が付着し、抗菌剤が食器表面にある細菌に対して自動に殺菌消毒を行う。この為、殺菌消毒し、無味無毒で、耐熱性がよく、汚染しないので、食事衛生を保証している。
【００１４】
2、本考案による自己消毒機能を有する食器は、その抗菌物質がその艶出し粉層だけに含有され、艶出し粉層の質量が食器本体と比べて比較的少なく、物質重量に同比例の抗菌物質を含める条件下では、従来の技術と比べて、艶出し粉層に必要とされる抗菌物質が、従来技術による本体に必要とされる抗菌物質よりも少ないため、コストが低下し、基材を節約し、環境保護にとって好ましい。
3、本考案による自己消毒機能を有する食器製造方法は、製造プロセスが簡単で、製造が容易である。
【図面の簡単な説明】
【００１５】
【図１】本考案の一実施例による自己消毒機能を有する食器の断面図である。
【図２】本考案の他の実施例による自己消毒機能を有する食器の断面図である
【考案を実施するための形態】
【００１６】
（実施例1）
図1の示すように、本考案の一実施例による自己消毒機能を有する食器は、食器本体1を有する。前記食器本体１の内表面に艶出し粉層2が形成されている。前記艶出し粉層２が抗菌物質を含有している。一例として、前記抗菌物質が抗菌剤であるナノシルバーである。
【００１７】
（実施例２）
図1の示すように、一種自己消毒機能を有する食器は、食器本体１を有する。前記食器本体１の内表面に艶出し粉層２を付着させる。前記艶出し粉層２が抗菌物質を含有する。艶出し粉と抗菌物質が前記艶出し粉層に占める比率は、抗菌剤が1.5%で、艶出し粉が98.5%である。前記抗菌剤が無機抗菌剤であり、例えば無機シルバーイオンを含有する珪素酸塩抗菌剤である。
【００１８】
本考案は、その抗菌物質がその艶出し粉層のみに含有している。艶出し粉層２の質量は、食器本体１と比べて、小さい。従来の技術と比べて、抗菌物質が少なくなり、コストが低下し、基材を節約し、環境にやさしくなる。
【００１９】
同様の抗菌効果に達するという前提下で、大きさの同じ食器で、従来技術と本発明とを、重量300ｇの皿をサンプルとして、比較する。
【００２０】
以下において、従来技術では食器本体が１．５％の抗菌物質を含むものとし、本発明では、艶出し粉層が１．５％の抗菌物質を含むものとして、計算する。従来技術によれば、食器本体に含まれる抗菌物質は、1.5%×300ｇ×1.5元/ｇ  となり、コストは6.75元である。
【００２１】
これに対し、本発明によれば、艶出し粉層が10ｇの重さがあるとする。1.5%×10ｇ×1.5元/ｇ  となり、コストは0.225元である。
【００２２】
世界向けの生産では、毎年10万トンのメラミン製食器を生産する場合で計算する。  従来技術では、抗菌物質を食器本体に含有させた場合には、100000トン×0.015%（抗菌粉の含有率）×1500000元（抗菌粉の単位トンあたり価格）により、225000万元となる。
【００２３】
本考案の構造によれば、100000トン×3%（艶出し粉層の占有比率）×0.015（抗菌粉の含有率）×1500000元（抗菌粉の単位トンあたり価格）により、合計6.75千万元となる。
【００２４】
以上から分かるように、本考案は、コストを節約し、環境に優しくしながら、同様な抗菌効果に達成することができる。
【００２５】
実験により対比すると、本考案による食器は、以下の効果がある。
試験菌種                大腸菌                小麦色葡萄菌種
０時間対比仕様        １１０００                ９２００
活菌数平均値
個／立方ｃｍ                                                
Ｕ０                  ４．０                  ４．０        
２４時間対比仕様      ４３０００                ５２００
活菌数平均値
個／立方ｃｍ                                                
Ｕ１                  ４．６                  ３．７        
２４時間対比仕様      １９                      １３以下
活菌数平均値
個／立方ｃｍ                                                
Ａｔ                  １．３                  １．１以下    
抗菌活性              ３．３                  ２．６以上      
【００２６】
自己消毒機能を有する食器の製造方法は、以下のステップを含む。
1）基材を用意するステップ、
2）メラミン粉末材料を油圧成型機の鋳型に入れるステップ、
3）油圧成型機の圧力（範囲：20&#8212;220Ｋｇ/平方ｃｍ）、温度（範囲：150&#8212;180度）を調整した後、油圧成型機によりメラミン粉末を食器本体としてホットプレス成型するステップし、
4）プレス成型された食器本体の内表面に艶出し粉層の基材を加え、油圧成型機の圧力（範囲：20&#8212;220Ｋｇ/平方ｃｍ）、温度（範囲：150&#8212;180度）を調整した後、油圧力機により食器本体の内表面には艶出し粉をホットプレス成型し、艶出し粉層を形成するステップ
その製造方法は、プロセスが簡単で、手順が少なく、作製が容易である。
【００２７】
（実施例３）
本実施例は、艶出し粉と抗菌物質が前記艶出し粉層に占める比率は、抗菌剤が1.5%、艶出し粉がる98.5%それぞれ占めることを特徴とする。その他は、実施例1と同様である。
（実施例４）
本実施例は、艶出し粉と抗菌物質が前記艶出し粉層に占める比率は、抗菌剤が2%、艶出し粉が98%占める。その他は、実施例1と同様である。
（実施例５）
図2の示すように、前記食器本体は内表面及び外表面に艶出し粉層2及び艶出し粉層3を付有し、前記艶出し粉層に抗菌物質を含めている。本例では、外表面にも艶出し粉層３があり、内と外の表面が抗菌できる。
艶出し粉と抗菌物質が前記艶出し粉層に占める比率は、抗菌剤が0.1%-10%、艶出し粉が99.9%-90%占める。
【００２８】
前記抗菌剤が無機抗菌剤であり、無機シルバーイオンを含有する珪素酸塩抗菌剤である。
自己消毒機能を有する食器の製造方法は、以下のステップを有する。
1）基材を用意するステップ。
2）メラミン粉末材料を油圧成型機の鋳型に入れるステップ。
3）油圧成型機の圧力（範囲：20&#8212;220Ｋｇ/平方ｃｍ）、温度（範囲：150&#8212;180度）を調整し、油圧成型機によりメラミン粉末を食器本体をとしてホットプレス成型するステップ。
4）圧制の食器本体内表面及び外表面に艶出し粉層の基材を加え、油圧成型機の圧力（範囲：20-&#8212;220Ｋｇ/平方ｃｍ）、温度（範囲：150&#8212;180度）を調整した後、油圧力機を利用して艶出し粉ホットプレスを成型して、食器本体の内表面及び外表面にそれぞれ艶出し粉層を形成するステップ。
【００２９】
（実施例６）
本例は、前記抗菌物質が、シリカゲルナノシルバー、燐酸塩抗菌剤、モンモリロナイト抗菌剤及び沸石抗菌剤のうちのいずれか一種或は幾種物質にから構成されることを特徴とする。
（実施例７）
本例は、前記抗菌物質も有機抗菌剤であることを特徴とする。その他は、実施例1と同様である。
本考案は、抗菌剤が常規の抗菌剤である。本考案は、前記食器本体にも艶出し粉及び抗菌剤を含めている。
【００３０】
以上の説明は、本考案の一実施例に関するもので、この技術分野の当業者であれば、本考案の種々の変形例を考え得るが、それらはいずれも本考案の技術的範囲に包含される。実用新案登録請求の範囲の構成要素の後に記載した括弧内の番号は、図面の部品番号に対応し、考案の容易なる理解の為に付したものであり、考案を限定的に解釈するために用いてはならない。また、同一番号でも明細書と実用新案登録請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【図１】
0003180548.tif 000003
【図２】
0003180548.tif 000004
【手続補正書】
【提出日】平成24年10月19日(2012.10.19)
【手続補正１】
【補正対象書類名】実用新案登録請求の範囲
【補正対象項目名】請求項６
【補正方法】変更
【補正の内容】
【請求項６】
前記抗菌物質を含有する前記艶出し粉層と前記抗菌物質質量比は、前記抗菌剤が0.1%−10%、艶出し粉が90%−99.9%である
ことを特徴とする請求項1に記載の自己消毒機能を有する食器。
【手続補正２】
【補正対象書類名】明細書
【補正対象項目名】０００９
【補正方法】変更
【補正の内容】
【０００９】
本考案の一実施例によれば、食器本体（１）を有する自己消毒機能を有する食器において、艶出し粉層（２、３）が、前記食器本体（１）の表面に形成されており、
前記艶出し粉層（２、３）が、抗菌物質を含有している。
本考案の一実施例によれば、艶出し粉層（２）が、前記食器本体（１）の内表面に形成されており、前記艶出し粉層が、抗菌物質を含有している。
本考案の一実施例によれば、艶出し粉層（３）が、前記食器本体（１）の外表面に形成されており、前記艶出し粉層が、抗菌物質を含有している。
本考案の一実施例によれば、前記抗菌物質が、抗菌剤である。
本考案の一実施例によれば、前記抗菌剤が、無機抗菌剤又は有機抗菌剤である。
本考案の一実施例によれば、前記抗菌物質を含有する前記艶出し粉層と前記抗菌物質質量比は、前記抗菌剤が0.1%−10%、前記艶出し粉が90%−99.9%である。
本考案の一実施例によれば、前記抗菌物質は、シリカゲル・ナノシルバー、燐酸塩抗菌剤、モンモリロナイト抗菌剤、沸石抗菌剤からなるグループから選択される。
本考案の一実施例によれば、前記抗菌物質が、シルバーイオンを含有する無機珪素酸塩抗菌剤である。